(57)【要約】【課題】出口側容器とフィルター材との間の密着等により流れが阻害されたり濾過性能を低下されたりすることを回避して、単位時間・単位面積当たりの処理量を増加させることができる血液処理フィルターを提供することである。【解決手段】フィルター材５と、フィルター材５を挟んで配置された入口側容器９、及び出口側容器１１と、入口側容器９、及び出口側容器１１によって、フィルター材５の略周縁を環状にシールすることで形成されたシール部１３と、を備えた血液処理フィルター１Ａであって、シール部１３の厚み方向の中心を通る仮想平面２０を基準にして、仮想平面２０と出口側容器１１とで形成される出口側空間Ａｏｕｔ、及び仮想平面２０と入口側容器９とで形成される入口側空間Ａｉｎを仮定した場合に、フィルター材５は、出口側空間Ａｏｕｔに比べて入口側空間Ａｉｎに偏って配置されていることを特徴とする血液処理フィルター１Ａに関する。【選択図】図２
2011235188.tif 000002
【特許請求の範囲】
【請求項１】
フィルター材と、前記フィルター材を挟んで配置された入口側容器、及び出口側容器と、前記入口側容器、及び前記出口側容器によって、前記フィルター材の略周縁を環状にシールすることで形成されたシール部と、を備えた血液処理フィルターであって、
前記シール部の厚み方向の中心を通る仮想平面を基準にして、前記仮想平面と前記出口側容器とで形成される出口側空間、及び前記仮想平面と前記入口側容器とで形成される入口側空間を仮定した場合に、前記フィルター材は、前記出口側空間に比べて前記入口側空間に偏って配置されていることを特徴とする血液処理フィルター。
【請求項２】
前記フィルター材は、前記入口側空間に存在する前記フィルター材の容積Ｖｉｎと、前記出口側空間に存在するフィルター材の容積Ｖｏｕｔとの関係が、１．３＜Ｖｉｎ／Ｖｏｕｔ＜７となるように配置されていることを特徴とする請求項１記載の血液処理フィルター。
【発明の詳細な説明】
【技術分野】
【０００１】
本発明は、血液から凝集物や白血球等の好ましくない成分を除去する為の血液処理フィルターに関する。特に、この血液処理フィルターは、重力落差によって白血球含有血液を濾過する場合に用いられる白血球除去フィルターに関する。
【背景技術】
【０００２】
輸血の分野において、血液製剤中に含まれている混入白血球を除去してから血液製剤を輸血する、いわゆる白血球除去輸血が普及している。これは、輸血に伴う頭痛、吐き気、悪寒、非溶血性発熱反応などの比較的軽微な副作用や、受血者に深刻な影響を及ぼすアロ抗原感作、ウィルス感染、輸血後GVHDなどの重篤な副作用が、主として輸血に用いられた血液製剤中に混入している白血球が原因で引き起こされることが明らかにされたためである。白血球除去方法には、いくつかの方法があるが、そのうちフィルター法は、白血球除去性能に優れていること、操作が簡便であること、及びコストが安いことなどの利点を有するため現在普及している。
【０００３】
フィルター法、すなわち白血球除去フィルターによる血液製剤などの処理は、輸血操作を行う際にベッドサイドで行われることが多かったが、近年では白血球除去血液製剤の品質管理を徹底するために、血液センターにおいて濾過が行われることが一般的である。通常、血液センターで白血球除去フィルターを使用して血液を濾過する際は、濾過されるべき血液製剤が入った血液バッグをフィルターよりも２０ｃｍから１００ｃｍ高い位置に置き、重力の作用によって血液製剤を濾過することが一般的に行われている。
【０００４】
近年、保存前白血球除去率の増加に伴い、血液処理を行うフィルターの数は増加している。また、保存前に白血球除去を行う施設の統合が進み、１つの施設で処理する血液の数は非常に増えている。
【０００５】
可撓性容器の白血球除去フィルターの場合、濾過の最中にはフィルター材の抵抗によって圧力損失が生じ、フィルター入口側の空間は陽圧となる。可撓性容器からなるフィルターの場合、容器が可撓性であるが故、この陽圧によって容器は風船状に膨らみ、フィルター材は出口側の容器に押しつけられる。
【０００６】
一方、出口側容器とフィルター材との空隙は、出口に接続された導管内の血液が重力によって落下して、通常フィルターよりも５０ｃｍ〜１００ｃｍ低い位置に置かれた濾過後の血液を収納するためのバッグへと移動しようとするため、この作用によって逆に陰圧となり、可撓性容器はフィルター材に密着する傾向を示す。即ち、フィルター材は二重の力によって出口側容器と密着し、血液の流れが阻害されて単位時間・単位面積当たりの処理量が減少してしまう場合がある。
【先行技術文献】
【特許文献】
【０００７】
【特許文献１】特開２００３−２４５３４２号公報
【発明の概要】
【発明が解決しようとする課題】
【０００８】
本発明の課題は、出口側容器とフィルター材との間の密着等により流れが阻害されたり濾過性能を低下されたりすることを回避して、単位時間・単位面積当たりの処理量を増加させることができる血液処理フィルターを提供することである。
【課題を解決するための手段】
【０００９】
本発明者らは、白血球除去フィルターを鋭意検討した結果、出口側容器とフィルター材との密着を防止するために、フィルター材をできるだけ入口側に偏らせて配置することで上記の課題を解決できることを見出した。すなわち本発明は、以下に関するものである。
【００１０】
すなわち、本発明は、フィルター材と、フィルター材を挟んで配置された入口側容器、及び出口側容器と、入口側容器、及び出口側容器によって、フィルター材の略周縁を環状にシールすることで形成されたシール部と、を備えた血液処理フィルターであって、シール部の厚み方向の中心を通る仮想平面を基準にして、仮想平面と出口側容器とで形成される出口側空間、及び仮想平面と入口側容器とで形成される入口側空間を仮定した場合に、フィルター材は、出口側空間に比べて入口側空間に偏って配置されていることを特徴とする血液処理フィルターに関する。なお、本発明における血液とは、輸血用の全血製剤、赤血球製剤、血小板製剤、血漿製剤などの血液製剤を含む。
【００１１】
この血液処理フィルターによれば、フィルター材が入口側空間に偏って配置されているので、例えば、重力落差で血液処理フィルターに血液を流し込む濾過方法を行った場合であっても、出口側容器とフィルター材との間での全面にわたる密着を回避して血液の流路を確保でき、単位時間・単位面積当たりの処理量を増加させることができる。この単位時間・単位面積当たりの処理量は、０．６ｇ／（ｍｉｎ・ｃｍ２）以上であることが望ましい。０．６ｇ／（ｍｉｎ・ｃｍ２）未満の場合には濾過時間を１０分以下にするために、濾過面積として６０ｃｍ２以上必要となり、遠心機への導入が難しくなって好ましくないからである。
【００１２】
さらに、上記の血液処理フィルターのフィルター材は、入口側空間に存在するフィルター材の容積Ｖｉｎと、出口側空間に存在するフィルター材の容積Ｖｏｕｔとの関係が、１．３＜Ｖｉｎ／Ｖｏｕｔ＜７となるように配置されているものとすることもできる。
【発明の効果】
【００１３】
本発明によれば、出口側容器とフィルター材との間の密着等により流れが阻害されたり濾過性能を低下されたりすることを回避して、単位時間・単位面積当たりの処理量を増加させることができる。
【図面の簡単な説明】
【００１４】
【図１】図１は、本発明の第１実施形態に係る血液処理フィルターの一部を破断して示す平面図である。
【図２】図２は、図１のＩＩ−ＩＩ線に沿った断面図である。
【図３】図３は、血液処理フィルターを備えた血液処理システムの概略を示す正面図である。
【図４】図４は、本発明の第２実施形態に係る血液処理フィルターの断面図である。
【図５】図５は、比較例に係る血液処理フィルターの断面図である。
【発明を実施するための形態】
【００１５】
以下、本発明の実施の形態について図面を参照しつつ説明する。なお、以下の各実施形態中で説明する白血球含有血液(以下、濾過前血液と言う)とは、白血球と赤血球とを含有する血液であり、輸血を対象とする全血製剤、赤血球製剤などを指す。濾過前血液中の白血球の混入数は、通常５×１０６個／単位以上であることが殆どである。濾過後の血液(以下、濾過後血液と言う)とは、白血球混入数が５×１０６個／単位未満にまで減じられた全血製剤、赤血球製剤などの血液を指す。
【００１６】
また、血液処理フィルターの外形は、矩形状、円盤状、長円盤状、楕円状などの様々な態様を採用できるが、製造時の材料ロスを少なくするためには矩形状が好ましく、従って、以下の実施形態では矩形状を例に説明する。
【００１７】
まず、図１、及び図２を参照して、第１実施形態に係る血液処理フィルター１Ａについて説明する。血液処理フィルター１Ａは、血液の入口ポート９ａと出口ポート１１ａとを有する可撓性容器３と、可撓性容器３の内部を入口ポート９ａ側と出口ポート１１ａ側とに隔てるように配置したシート状の白血球除去フィルター材（以下、「フィルター材」と言う）５と、を備えている。
【００１８】
可撓性容器３は、矩形扁平状の容器である。扁平状とは、厚みが薄くて面が広い形状を意図する。可撓性容器３は、矩形シート状の入口側容器９と、矩形シート状の出口側容器１１とを備えている。入口側容器９には、内側と外側とを連通する入口流路９ｂが形成された入口ポート９ａがシールされている。また、出口側容器１１には、内側と外側とを連通する出口流路１１ｂが形成された出口ポート１１ａがシールされている。なお、シールするとは、液体の漏洩を防止できる程度に接着（溶着含む）にて固定することを意味する。
【００１９】
入口側容器９と出口側容器１１とは、矩形状のフィルター材５を挟むようにして重なり合っている。また、入口側容器９と出口側容器１１とは、フィルター材５の周縁に沿って、フィルター材５を挟みつけた状態でシールされている。フィルター材５の周縁に沿った帯状の接着領域はシール部１３である。シール部１３は入口ポート９ａを矩形環状に囲んでおり、シール部１３よりも内側の内部領域は血液が流動するろ過部になる。さらに、入口側容器９と出口側容器１１との外縁同士は、シール部１３を環状に囲むようにシールされている。
【００２０】
入口側容器９にシールされた入口ポート９ａは、シール部１３の内側の領域に適宜に配置することができる。本実施形態に係る入口ポート９ａは、可撓性容器３の長手方向の一方の端部側、すなわち、血液処理フィルター１Ａを血液処理のために立てた状態において上側に配置されている。入口ポート９ａには、血液が流動する入口側回路１０２（図３参照）を形成した際に処理前の血液を受け入れる入口流路９ｂが形成され、さらに入口ポート９ａには、入口流路９ｂと入口側容器９の内部とを連通する入口開口部９ｃが形成されている。
【００２１】
出口側容器１１にシールされた出口ポート１１ａは、シール部１３の内側の領域に適宜に配置することができる。本実施形態に係る出口ポート１１ａは、可撓性容器３の長手方向の他方の端部側、すなわち、血液処理フィルター１Ａを血液処理のために立てた状態において下側に配置されている。出口ポート１１ａには、血液が流動する出口側回路１０４（図３参照）を形成した際に、フィルター材５で処理された血液を排出する出口流路１１ｂが形成されている。
【００２２】
次に、フィルター材５の形状や配置について詳しく説明する。まず、図２に示されるように、シール部１３の厚み方向の中心を通る平面を仮想平面２０として仮定し、さらに、可撓性容器３内の空間は、入口側空間Ａｉｎと出口側空間Ａｏｕｔとによって形成されていると仮定する。ここで、入口側空間Ａｉｎは仮想平面２０と入口側容器９との間の空間であり、出口側空間Ａｏｕｔは仮想平面２０と出口側容器１１との間の空間である。
【００２３】
フィルター材５は、略矩形のシート状であり、可撓性容器３内に収容された状態で、中央付近が撓んで湾曲しており、出口側空間Ａｏｕｔに比べて入口側空間Ａｉｎの側に偏って配置されている。この偏りの程度を定量的に示すと、以下の通りとなる。つまり、入口側空間Ａｉｎに存在するフィルター材５の容積Ｖｉｎと、出口側空間Ａｏｕｔに存在するフィルター材５の容積Ｖｏｕｔとし、容積Ｖｉｎと容積Ｖｏｕｔとの関係について、容積Ｖｉｎを容積Ｖｏｕｔで割った値（Ｖｉｎ／Ｖｏｕｔ）を用いて説明すると、フィルター材５は、１．３＜Ｖｉｎ／Ｖｏｕｔ＜７となるように配置されている。
【００２４】
つまり、１．３＜Ｖｉｎ／Ｖｏｕｔ＜７の関係を満たす態様であれば、フィルター材５の撓みや湾曲の形状にかかわらず、フィルター材５は、入口側空間Ａｉｎに偏って配置された形態を具現化していることになる。
【００２５】
以上、血液処理フィルター１Ａでは、フィルター材５が入口側空間Ａｉｎに偏って配置されているので、例えば、重力落差で血液処理フィルター１Ａに血液を流し込む濾過方法を行った場合であっても、出口側容器１１とフィルター材５とが全面にわたって密着してしまうのを回避して血液の流路を確保でき、単位時間・単位面積当たりの処理量を増加させることができる。この単位時間・単位面積当たりの処理量は、０．６ｇ／（ｍｉｎ・ｃｍ２）以上であることが望ましい。０．６ｇ／（ｍｉｎ・ｃｍ２）未満の場合には濾過時間を１０分以下にするために、濾過面積として６０ｃｍ２以上必要となり、遠心機への導入が難しくなって好ましくないからである。
【００２６】
次に、血液処理フィルター１Ａを構成する各要素の材料や形状などの各態様について説明する。上述のように可撓性容器３は、入口側容器９及び出口側容器１１によって形成される。可撓性容器３に用いる可撓性樹脂は、滅菌のための高圧蒸気や電子線の透過性が良好であること、さらには、遠心時の負荷に耐える強靭性を有するという点で、軟質ポリ塩化ビニルや、ポリオレフィンまたはこれらを主成分とする熱可塑性エラストマーなどが好適に使用される。
【００２７】
本実施形態においてフィルター材５を例に説明した白血球除去フィルター材としては、メルトブロー法などによって製造された不織布等の繊維構造物や、連続した細孔を有する多孔質体（スポンジ状構造物）、多孔膜などからなる白血球除去フィルター材が挙げられる。白血球除去フィルター材を形成する基材が繊維構造物である場合、その素材としては、ポリエステル、ポリプロピレン、ポリアミド、ポリアクリロニトリル、ポリトリフルオロエチレン、ポリメチルメタアクリレート、ポリスチレンなどが挙げられる。さらに、繊維構造物を基材とする場合、ほぼ均一な繊維径を有する繊維からなる基材であっても良いし、国際公開第９７／２３２２６６号パンフレットに開示されているような、繊維径の異なる、複数種の繊維が混繊された形態の基材であっても良い。濾過後血液に混入する白血球数を５×１０６個／単位以下にまで減じるには、白血球除去フィルター材を形成する基材繊維の平均繊維径が３．０μｍ以下であるものが好ましく、特に望ましくは０．９〜２．５μｍである。
【００２８】
白血球除去フィルター材を構成する基材が多孔質体あるいは多孔膜である場合、その素材としては、ポリアクリロニトリル、ポリスルホン、セルロースアセテート、ポリビニルホルマール、ポリエステル、ポリアクリレート、ポリメタクリレート、ポリウレタンなど何れの素材であってもよい。濾過後血液に混入する白血球数を５×１０６個／単位以下にまで減じるには、多孔質体あるいは多孔膜の平均孔径は２μｍ以上で、且つ１０μｍ未満であるものが望ましい。
【００２９】
また、白血球除去フィルター材は基材そのものから構成しても良いし、その表面を化学的あるいは物理的に改質したものでも良く、何れの白血球除去フィルター材も白血球除去に寄与しているシート状のフィルター材５に含まれる。白血球除去フィルター材は、繊維構造物、多孔質体あるいは多孔膜を単層で用いても良いし、複数層組み合わせて用いても良い。
【００３０】
白血球除去フィルター材のカット方法は、刃による切断、超音波カッターによる切断、レーザーによる切断等ある。
【００３１】
次に、第１実施形態に係る血液処理フィルター１Ａを備えて構成される血液処理システム１００、及び血液処理フィルター１Ａの使用状態について図３を参照して説明する。図３は血液処理システム１００の概略を示す正面図である。
【００３２】
血液処理フィルター１Ａは、重力落差を利用した濾過に使用することができる。例えば、血液処理フィルター１Ａを適用した血液処理システム１００は、採血後の血液を入れた貯留バッグ１０１と、血液処理フィルター１Ａと、濾過後の血液をためる回収バッグ１０３と、を備える。貯留バッグ１０１と血液処理フィルター１Ａの入口ポート９ａとは、血液チューブなどの導管１０２ａによって互いに接続され、回収バッグ１０３と血液処理フィルター１Ａの出口ポート１１ａとは、血液チューブなどの導管１０４ａによって互いに接続されている。更に、上流側の導管１０２ａには、流路を開閉するローラークランプなどの開閉手段１０２ｂやチャンバー１０２ｃなどが取り付けられており、導管１０２ａ、開閉手段１０２ｂ、及びチャンバー１０２ｃなどによって入口側回路１０２が形成される。また、下流側の導管１０４ａなどによって出口側回路１０４が形成される。
【００３３】
そして、採血後の血液を入れた貯留バッグ１０１は、血液処理フィルター１Ａよりも、例えば５０ｃｍ程度高い位置に設置され、濾過後の血液をためる回収バッグ１０３は血液処理フィルター１Ａよりも、例えば１００ｃｍ程度低い位置に設置されている。血液処理システム１００の流路を開放することで血液の濾過処理が行われる。濾過処理を行っている際（使用時）に、血液処理フィルター１Ａの可撓性容器３の出口側では陰圧が発生し、出口側容器１１は撓んでフィルター材５に密着しようとする。しかしながら、血液処理フィルター１Ａでは、フィルター材５が入口側空間Ａｉｎに偏って配置されているので、出口側容器１１とフィルター材５とが全面にわたって密着して流れを規制してしまうことを回避でき、単位時間・単位面積当たりの処理量を増加させることができる。この単位時間・単位面積当たりの処理量は、０．６ｇ／（ｍｉｎ・ｃｍ２）以上であることが望ましい。０．６ｇ／（ｍｉｎ・ｃｍ２）未満の場合には濾過時間を１０分以下にするために、濾過面積として６０ｃｍ２以上必要となり、遠心機への導入が難しくなって好ましくないからである。
【００３４】
次に、本発明の第２実施形態に係る血液処理フィルターについて図４を参照して説明する。図４は、本発明の第２実施形態に係る血液処理フィルターの断面図である。なお、第２実施形態に係る血液処理フィルター１Ｂは第１実施形態に係る血液処理フィルター１Ａと実質的に同一の要素や構造を備えているため、同一の要素や構造には同一の符号を付して詳しい説明は省略し、以下の説明では、異なる要素や構造を中心に説明する。
【００３５】
血液処理フィルター１Ｂは、血液の入口ポート３０ａを有する入口側容器３０と、出口ポート１１ａを有する出口側容器１１と、入口側容器３０と出口側容器１１との間に配置されたシート状のフィルター材５と、を備えている。
【００３６】
入口側容器３０は硬質性樹脂からなり、内側と外側とを連通する入口流路３０ｂが形成された入口ポート３０ａが設けられている。入口側容器３０は、矩形の略平板状であり、中央部分３１の内側には凹み部３１ａが形成されている。入口側容器３０に用いられる硬質性樹脂としては、ポリカーボネート、ポリエステル、ポリアミド、ポリスチレン、ＡＢＳ、ポリエチレン、ポリプロピレン、ポリ塩化ビニル等が使用できる。更に好ましくは耐熱性の高いポリカーボネート、ポリエステル、ポリアミド等がよい。
【００３７】
入口側容器３０と出口側容器１１とは、フィルター材５の周縁に沿って、フィルター材５を挟みつけた状態でシールされている。フィルター材５の周縁に沿った帯状の接着領域はシール部３２である。さらに、入口側容器３０と出口側容器１１との外縁同士は、シール部３２を環状に囲むようにシールされている。
【００３８】
フィルター材５は、略矩形のシート状であり、中央付近が撓んで湾曲しており、この湾曲部分が入口側容器３０の凹み部３１ａに収まるように配置されている。そして、シール部３２の厚み方向の中心を通る平面を仮想平面２０として仮定し、さらに、仮想平面２０と入口側容器３０との間に形成される入口側空間Ａｉｎと仮定し、仮想平面２０と出口側空間Ａｏｕｔとの間に形成される出口側空間Ａｏｕｔとを仮定した場合に、フィルター材５は、出口側空間Ａｏｕｔよりも入口側空間Ａｉｎに偏って配置されている。つまり、入口側空間Ａｉｎに存在するフィルター材５の容積Ｖｉｎと、出口側空間Ａｏｕｔに存在するフィルター材５の容積Ｖｏｕｔとし、容積Ｖｉｎと容積Ｖｏｕｔとの関係について、容積Ｖｉｎを容積Ｖｏｕｔで割った値（Ｖｉｎ／Ｖｏｕｔ）を用いて説明すると、フィルター材５は、１．３＜Ｖｉｎ／Ｖｏｕｔ＜７となるように配置されている。
【００３９】
本実施形態に係る血液処理フィルター１Ｂによれば、フィルター材５が入口側空間Ａｉｎに偏って配置されているので、例えば、重力落差で血液処理フィルター１Ｂに血液を流し込む濾過方法を行った場合であっても、出口側容器１１とフィルター材５とが全面にわたって密着してしまうのを回避して血液の流路を確保でき、単位時間・単位面積当たりの処理量を増加させることができる。この単位時間・単位面積当たりの処理量は、０．６ｇ／（ｍｉｎ・ｃｍ２）以上であることが望ましい。０．６ｇ／（ｍｉｎ・ｃｍ２）未満の場合には濾過時間を１０分以下にするために、濾過面積として６０ｃｍ２以上必要となり、遠心機への導入が難しくなって好ましくないからである。
【実施例】
【００４０】
次に、実施例により本発明をより詳細かつ具体的に説明するが、本発明は、これらによって範囲を限定されるものではない。
【００４１】
まず、血液処理フィルターの流れ性試験の方法を以下に説明する。本発明の実施例または比較例に係る血液処理フィルターを、貯留バッグと回収バッグとの間に配置し（図３参照）、貯留バッグに接続した入口側導管を血液処理フィルターの入口側血液導入口へ、回収バッグに接続した出口側導管を血液処理フィルターの出口側血液導出口へそれぞれ接続した。なお、それぞれの導管として、内径３ｍｍ、外径４．２ｍｍの軟質塩化ビニル製のチューブを使用し、貯留バッグとフィルターとの間の長さは６０ｃｍとし、フィルターと回収バッグとの間の長さは１１０ｃｍとした。入口側導管をクランプで閉じた後、注射用蒸留水(大塚製薬株式会社製)にポリビニルピロリドン(以下ＰＶＰと言うことがある。和光純薬工業株式会社製)を添加し、粘度を２５．８ｍＰａ・ｓに調製したＰＶＰ水溶液３５０gを貯留バッグへ入れた。
【００４２】
上流側落差（濾過前血液貯留バッグ下端と血液処理フィルターの入口側血液導入口との鉛直距離）、血液処理フィルターの入口側血液導入口と出口側血液導出口間の落差、および下流側落差（血液処理フィルターの出口側血液導出口と濾過後血液回収バッグ上端との鉛直距離）とを合計した全落差を１．０ｍに調整し、濾過前血液貯留バッグを吊り下げたあと、回収バッグを天秤の上に静置し、入口側導管を閉じているクランプを開放し、濾過を開始した。クランプを開放した時間からＰＶＰ溶液が回収バッグに到達するまでの時間をプライミング時間とした。
【００４３】
さらに、ＰＶＰ溶液が回収バッグに到達してから貯留バッグのＰＶＰ溶液が空になるまでの時間を処理時間とした。貯留バッグが空になった後、１分毎に回収バッグを載せた天秤の値の読み取り、１分間の天秤の値の変動が０．５g以下になった時点で回収を終了し、貯留バッグが空になってから回収が終了するまでの時間を回収時間、回収終了時の天秤の値を回収量とした。
【００４４】
［実施例１］
繊維径１２μｍ、目付３０ｇ／ｍ２、厚さ０．１８９ｍｍのポリエステル不織布である第一のフィルター要素、繊維径１．２μｍ、目付４０ｇ／ｍ２、厚さ０．２３５ｍｍのポリエステル不織布である第二のフィルター要素を用意し、第一のフィルター要素を血液の入口側に４枚、第二のフィルター要素を血液の出口側に２６枚重ねてシート状のフィルター材とした。以上のようにして作製した二種の不織布からなる積層物（フィルター材）を７４ｍｍ×９１ｍｍ（長方形）に切断した。その後、直径３０ｍｍ、高さ１０ｍｍの円錐状の金属にて不織布を出口側から押し、これらの可撓性の容器と不織布の積層体とを、入口側容器、不織布の積層体、出口側容器の順に重ね合わせ、ろ過部が５７ｍｍ×７４ｍｍとなるように高周波溶着法で溶着し、白血球除去フィルターとした。実施例１に係る白血球除去フィルターは上記の第１実施形態に係る血液処理フィルターに対応する（図１参照）。実施例１に係る白血球除去フィルターでは、Ｖｉｎ／Ｖｏｕｔは１．３２となり、フィルター材が、入口側空間に偏って配置された形態を具現化している。この白血球除去フィルターで流れ性試験を行った結果、処理量／単位時間は３０．４（ｇ／ｍｉｎ）であり、処理量／単位時間・単位面積は０．７２（ｇ／ｍｉｎ・ｃｍ２）であり、濾過時間は１１．５分だった。実施例１では、処理量／単位時間・単位面積が０．６（ｇ／ｍｉｎ・ｃｍ２）以上となっているために好適であり、濾過面積が後述の比較例１と略同一であるにもかかわらず、比較例１に比べて濾過時間を大幅に短縮できた。
【００４５】
［実施例２］
直径９９ｍｍの円形に切断した積層不織布を使用し、中央部の内側が直径３０ｍｍの半球状に窪んでいる硬質性容器を入口側容器として、不織布を容器に沿って超音波溶着し、その後、可撓性の出口側容器を不織布と入口側容器とに接着した白血球除去フィルターを作製した。実施例２に係る白血球除去フィルターは、上記の第２実施形態に係る血液処理フィルターに対応する（図４参照）。また、実施例２に係る白血球除去フィルターのろ過部は直径８２ｍｍの円形であり、フィルター材となる不織布構成は実施例１と同じである。実施例２に係る白血球除去フィルターでは、Ｖｉｎ／Ｖｏｕｔは１．３２となり、フィルター材が、入口側空間に偏って配置された形態を具現化している。実施例２に係る白血球除去フィルターを用いて実施例１と同一の操作を行ったところ、処理量／単位時間は３４．７（ｇ／ｍｉｎ）であり、処理量／単位時間・単位面積は０．６６（ｇ／ｍｉｎ・ｃｍ２）であり、濾過時間は１０．１分だった。実施例２では、処理量／単位時間・単位面積が０．６（ｇ／ｍｉｎ・ｃｍ２）以上となっているために好適であり、濾過面積が後述の比較例２よりも小さいにもかかわらず、比較例２に比べて濾過時間を大幅に短縮できた。
【００４６】
［実施例３］
８４ｍｍ×１０４ｍｍに切断した積層不織布に直径４０ｍｍ、高さ１０ｍｍの円錐状の金属にて不織布を出口側から押し、その後、ろ過部が６５ｍｍ×８５ｍｍとなるように高周波溶着法で溶着し、そのほかの部分は実施例１と同じである白血球除去フィルターを作製した。実施例３に係る白血球除去フィルターでは、Ｖｉｎ／Ｖｏｕｔは１．４７となり、フィルター材が、入口側空間に偏って配置された形態を具現化している。実施例３に係る白血球除去フィルターを用いて実施例１と同一の操作を行ったところ、処理量／単位時間は３６．１（ｇ／ｍｉｎ）であり、処理量／単位時間・単位面積は０．６５（ｇ／ｍｉｎ・ｃｍ２）であり、濾過時間は９．７分だった。実施例３では、処理量／単位時間・単位面積が０．６（ｇ／ｍｉｎ・ｃｍ２）以上となっているために好適であり、濾過面積が後述の比較例２と略同一であるにもかかわらず、比較例２に比べて濾過時間を大幅に短縮できた。
【００４７】
［実施例４］
ろ過部が５７ｍｍ×７４ｍｍであり、可撓性の入口側容器と不織布と可撓性の出口側容器を高周波溶着する際に凸形状（中央部が４ｍｍ入口側に突き出している形状)である金型で溶着を行い、それ以外は実施例1と同じである白血球除去フィルターを作製した。実施例４に係る白血球除去フィルターでは、Ｖｉｎ／Ｖｏｕｔは６．３となり、フィルター材が、入口側空間に偏って配置された形態を具現化している。実施例４に係る白血球除去フィルターを用いて実施例１と同一の操作を行ったところ、処理量／単位時間は３４．０（ｇ／ｍｉｎ）であり、処理量／単位時間・単位面積は０．８１（ｇ／ｍｉｎ・ｃｍ２）であり、濾過時間は１０．３分だった。実施例３では、処理量／単位時間・単位面積が０．６（ｇ／ｍｉｎ・ｃｍ２）以上となっているために好適であり、濾過面積が後述の比較例１と略同一であるにもかかわらず、比較例２に比べて濾過時間を大幅に短縮できた。
【００４８】
［比較例１］
不織布積層物を７４ｍｍ×９１ｍｍ（長方形）に切断し、ろ過部寸法が５７ｍｍ×７４ｍｍとなるように高周波溶着法で溶着した。それ以外は実施例１と同じである白血球除去フィルターを作製した。図５は、比較例１に係る白血球除去フィルターの断面図である。比較例１に係る白血球除去フィルター５０は、可撓性の入口側容器５１、可撓性の出口側容器５２、及び入口側容器５１と出口側容器５２との間に配置されたフィルター材（不織布積層物）５３とを備えている。入口側容器５１と出口側容器５２との内部には、仮想平面２０と入口側容器５１との間に形成された入口側空間Ａｉｎと、仮想平面２０と出口側容器５２との間に形成された出口側空間Ａｏｕｔとが形成されており、フィルター材５３は入口側空間Ａｉｎに偏ることなく配置されている。その結果、比較例１に係る白血球除去フィルター５０では、Ｖｉｎ／Ｖｏｕｔは１．０になっている。比較例１に係る白血球除去フィルターを用いて実施例１と同一の操作を行ったところ、処理量／単位時間は２４．１（ｇ／ｍｉｎ）であり、処理量／単位時間・単位面積は０．５７（ｇ／ｍｉｎ・ｃｍ２）であり、濾過時間は１４．５分だった。比較例１では、処理量／単位時間・単位面積が０．６（ｇ／ｍｉｎ・ｃｍ２）未満となり、実施例１や実施例４に比べて濾過時間が長くなってしまった。
【００４９】
［比較例２］
不織布積層物を８４ｍｍ×１０４ｍｍ（長方形）に切断し、ろ過部寸法が６５ｍｍ×８５ｍｍとなるように高周波溶着法で溶着した。それ以外は実施例１と同じである白血球除去フィルターを作製した。比較例２に係る白血球除去フィルターでは、Ｖｉｎ／Ｖｏｕｔは１．０、すなわち偏りがなく、比較例２に係る白血球除去フィルターを用いて実施例１と同一の操作を行ったところ、処理量／単位時間は３１．０（ｇ／ｍｉｎ）であり、処理量／単位時間・単位面積は０．５６（ｇ／ｍｉｎ・ｃｍ２）であり、濾過時間は１１．３分だった。比較例２では、処理量／単位時間・単位面積が０．６（ｇ／ｍｉｎ・ｃｍ２）未満となり、実施例２や実施例３に比べて濾過時間が長くなってしまった。
以上の実施例１〜実施例４、及び比較例１、及び比較例２の結果を表１に示す。
【００５０】
【表１】
2011235188.tif 000003
【符号の説明】
【００５１】
１Ａ、１Ｂ…血液処理フィルター、５…フィルター材、９，３０…入口側容器、１１…出口側容器、１３，３２…シール部、２０…仮想平面、Ａｏｕｔ…出口側空間、Ａｉｎ…入口側空間。
【図１】
2011235188.tif 000004
【図２】
2011235188.tif 000005
【図３】
2011235188.tif 000006
【図４】
2011235188.tif 000007
【図５】
2011235188.tif 000008